(57)【要約】【課題】サービス設備の利用率を高めることを課題とする。【解決手段】サーバ装置４０は、貸しロッカーのサービスを提供する貸しロッカー設備１０および広告主が操作するクライアント装置３０にネットワーク１を介して接続され、クライアント装置３０から受け付けた広告主に関する広告情報（広告データやクーポンデータ）を貸しロッカー設備１０に対して送信し、貸しロッカー設備１０は、サーバ装置４０から受信した広告情報（広告データやクーポンデータ）をロッカー利用者に提供する。【選択図】図１
2011154714.tif 000002
【特許請求の範囲】
【請求項１】
物品を収納する複数の物品収納部と、前記物品収納部を開閉する物品収納部ごとに設けられた扉体と、前記扉体を施錠する施錠手段とを有し、物品収納部に暗証番号を設定して前記施錠手段を施錠制御するとともに、前記暗証番号の入力により前記施錠手段の施錠を解錠制御するロッカー装置であって、
前記物品収納部に設定された暗証番号と、外部から入力された広告主に関する広告情報とを所定の媒体に印刷制御する印刷制御手段
を備えたことを特徴とするロッカー装置。
【請求項２】
前記印刷制御手段は、前記物品収納部を一意に識別する識別情報、前記物品収納部に設定された暗証番号及び外部から入力された広告主に関する広告情報を所定の媒体に印刷制御することを特徴とする請求項１に記載のロッカー装置。
【請求項３】
前記印刷制御手段により暗証番号が印刷された第１の媒体と、前記印刷制御手段により広告情報が印刷された第２の媒体とを発行することを特徴とする請求項１又は２に記載のロッカー装置。
【請求項４】
前記広告情報がクーポンであることを特徴とする請求項１、２又は３に記載のロッカー装置。
【請求項５】
前記広告情報が宣伝広告であることを特徴とする請求項１、２又は３に記載のロッカー装置。
【請求項６】
物品を収納する複数の物品収納部と、前記物品収納部を開閉する物品収納部ごとに設けられた扉体と、前記扉体を施錠する施錠手段とを有し、物品収納部に暗証番号を設定して前記施錠手段を施錠制御するとともに、前記暗証番号の入力により前記施錠手段の施錠を解錠制御するロッカー装置の制御方法であって、
物品収納部に暗証番号を設定して前記施錠手段を施錠制御する施錠制御工程と、
前記物品収納部に設定された暗証番号と、外部から入力された広告主に関する広告情報とを所定の媒体に印刷制御する印刷制御工程と
を含んだことを特徴とするロッカー装置の制御方法。
【発明の詳細な説明】
【技術分野】
【０００１】
この発明は、ロッカー装置及びその制御方法に関し、特に、サービス設備の利用率を高めることができるロッカー装置及びその制御方法に関する。
【背景技術】
【０００２】
従来より、サービス設備として貸しロッカー設備と呼ばれるものがある。かかる貸しロッカー設備は、商店街やショッピングセンタなどに設置され、基本的には、ロッカー利用者からロッカー代金を徴収して荷物を預かるものであるが、ロッカーの扉に広告を掲載することによって、広告塔としての機能をも発揮させるものもある。
【発明の概要】
【発明が解決しようとする課題】
【０００３】
しかしながら、従来からある貸しロッカー設備においては、ロッカー代金を割安にするには自ずと限界があるため、ロッカー利用率を高めることができないという問題点があった。
【０００４】
すなわち、一般的には、貸しロッカー設備のロッカー代金は割高と考えられており、広告塔としての機能をも発揮させる貸しロッカー設備であっても、ロッカーの扉に広告を掲載するだけでは効果的な広告ではないため、広告収入によってロッカー代金を割安にするには自ずと限界があり、ロッカー利用率を高めることができなかった。
【０００５】
一方、商店街やショッピングセンタにおいては、荷物を携帯する者の入店を拒否する店舗や、荷物を携帯して歩き回るには不便な店舗などもあるところ、貸しロッカー設備を頻繁に利用したいと考える者も潜在的に存在するはずである。また、店舗にとっては、荷物を携帯する来店者によって、店内が混雑したり、万引きなどの不正行為が誘発されるなどの問題があった。
【０００６】
このような従来の貸しロッカー設備の問題点は、商店街やショッピングセンタに設置される貸し駐車場設備など、他のサービス設備においても同様であり、貸しロッカー設備や貸し駐車場設備などのサービス設備の利用率を如何にして高めるかが極めて重要な課題になっている。
【０００７】
そこで、この発明は、上述した従来技術による問題点を解消するためになされたものであり、サービス設備の利用率を高めることができるロッカー装置及びその制御方法を提供することを目的とする。
【課題を解決するための手段】
【０００８】
上述した課題を解決し、目的を達成するため、本発明は、物品を収納する複数の物品収納部と、前記物品収納部を開閉する物品収納部ごとに設けられた扉体と、前記扉体を施錠する施錠手段とを有し、物品収納部に暗証番号を設定して前記施錠手段を施錠制御するとともに、前記暗証番号の入力により前記施錠手段の施錠を解錠制御するロッカー装置であって、前記物品収納部に設定された暗証番号と、外部から入力された広告主に関する広告情報とを所定の媒体に印刷制御する印刷制御手段を備えたことを特徴とする。
【０００９】
また、本発明は、上記発明において、前記印刷制御手段は、前記物品収納部を一意に識別する識別情報、前記物品収納部に設定された暗証番号及び外部から入力された広告主に関する広告情報を所定の媒体に印刷制御することを特徴とする。
【００１０】
また、本発明は、上記発明において、前記印刷制御手段により暗証番号が印刷された第１の媒体と、前記印刷制御手段により広告情報が印刷された第２の媒体とを発行することを特徴とする。
【００１１】
また、本発明は、上記発明において、前記広告情報がクーポンであることを特徴とする。
【００１２】
また、本発明は、上記発明において、前記広告情報が宣伝広告であることを特徴とする。
【００１３】
また、本発明は、物品を収納する複数の物品収納部と、前記物品収納部を開閉する物品収納部ごとに設けられた扉体と、前記扉体を施錠する施錠手段とを有し、物品収納部に暗証番号を設定して前記施錠手段を施錠制御するとともに、前記暗証番号の入力により前記施錠手段の施錠を解錠制御するロッカー装置の制御方法であって、物品収納部に暗証番号を設定して前記施錠手段を施錠制御する施錠制御工程と、前記物品収納部に設定された暗証番号と、外部から入力された広告主に関する広告情報とを所定の媒体に印刷制御する印刷制御工程とを含んだことを特徴とする。
【発明の効果】
【００１４】
本発明によれば、物品収納部に設定された暗証番号と、外部から入力された広告主に関する広告情報とを所定の媒体に印刷制御するよう構成したので、利用者の暗証番号の記憶間違いを防止しつつ該利用者に広告情報を提供することができる。
【図面の簡単な説明】
【００１５】
【図１】図１は、本実施の形態に係る広告情報提供システムの全体構成を示すシステム構成図である。
【図２】図２は、図１に示した貸しロッカー設備の外観を示す外観図である。
【図３】図３は、図１に示した貸しロッカー設備の構成を示すブロック図である。
【図４】図４は、図３に示した定型フォームＤＢに記憶される情報の構成例を示す図である。
【図５】図５は、図３に示した広告ＤＢに記憶される情報の構成例を示す図である。
【図６】図６は、図３に示したクーポンＤＢに記憶される情報の構成例を示す図である。
【図７】図７は、図３に示した利用履歴ＤＢに記憶される情報の構成例を示す図である。
【図８】図８は、図１に示したクライアント装置の構成を示すブロック図である。
【図９】図９は、図１に示したサーバ装置の構成を示すブロック図である。
【図１０】図１０は、図９に示したＷｅｂＤＢに記憶される情報の構成例を示す図である。
【図１１】図１１は、図９に示した広告ＤＢに記憶される情報の構成例を示す図である。
【図１２】図１２は、図９に示したクーポンＤＢに記憶される情報の構成例を示す図である。
【図１３】図１３は、図９に示したロッカーＤＢに記憶される情報の構成例を示す図である。
【図１４】図１４は、図９に示した会員ＤＢに記憶される情報の構成例を示す図である。
【図１５】図１５は、図１に示した貸しロッカー設備による荷物預かりの処理手順を示すフローチャートである。
【図１６】図１６は、貸しロッカー設備による荷物預かりの処理に際して、操作パネルに表示される画面の一例を示す図である。
【図１７】図１７は、貸しロッカー設備による荷物預かりの処理に際して、発行部から発行されるレシートおよびクーポンの一例を示す図である。
【図１８】図１８は、図１に示した貸しロッカー設備からサーバ装置へのアクセスにともなう処理の手順を示すフローチャートである。
【図１９】図１９は、図１に示したサーバ装置から貸しロッカー設備へのアクセスにともなう処理の手順を示すフローチャートである。
【図２０】図２０は、図１に示したクライアント装置からサーバ装置へのアクセスにともなう処理の手順を示すフローチャートである。
【図２１】図２１は、クライアント装置からサーバ装置へのアクセスにともなう処理に際して、クライアント装置の出力部に表示される画面の一例を示す図である。
【図２２】図２２は、本発明の適用が可能である他の貸しロッカー設備の外観を示す外観図である。
【発明を実施するための形態】
【００１６】
以下に添付図面を参照して、この発明に係るロッカー装置及びその制御方法の好適な実施の形態を詳細に説明する。
【００１７】
（広告情報提供システムの概略）
まず最初に、本実施の形態に係る広告情報提供システムの概略を説明する。図１は、本実施の形態に係る広告情報提供システムの全体構成を示すシステム構成図である。同図に示すように、この広告情報提供システムは、貸しロッカー設備１０と、クライアント装置３０と、サーバ装置４０とを、ネットワーク１を介して相互に通信可能に接続して構成される。
【００１８】
この広告情報提供システムにおいて、貸しロッカー設備１０は、商店街やショッピングセンタなどに設置され、本来的に、ロッカー利用者からロッカー代金を徴収して、ロッカー利用者の荷物を預かるものである。また、サーバ装置４０は、貸しロッカー設備１０の設置者などによって所有され、本来的には、貸しロッカー設備１０からロッカーの利用履歴（例えば、徴収したロッカー代金の額など）を取得して、その利用履歴を管理するものである。
【００１９】
そして、この広告情報提供システムは、貸しロッカー設備１０によって荷物を預かるだけではなく、ロッカー利用者に対して宣伝広告やクーポンなどの広告情報を提供することによって、ロッカー利用率を向上させることができるようにしている点に特徴がある。すなわち、サーバ装置４０は、商店街やショッピングセンタなどの広告主が所有するクライアント装置３０から広告データやクーポンデータを受け付け、貸しロッカー設備１０は、広告主の広告を出力表示するとともに、ロッカー利用者に対して広告主のクーポンを発行して、実質ロッカー利用料金を割り引いている。
【００２０】
これによって、ロッカー利用者にとっては、安価なロッカー料金にて荷物を預けることができるとともに、広告主のクーポンを取得することができるため、ロッカー利用率を向上させることが可能になる。これに付随して、貸しロッカー設備１０の設置者などは、広告主から広告収入を得ることができるとともに、ロッカー利用率の向上による収益増加を期待することができる。さらに、商店街やショッピングセンタなどの広告主は、効果的な宣伝やクーポンによる来店者の増加を期待することができるとともに、来店者が荷物を携帯しないことによって、店内の混雑緩和や万引きなどの不正防止を期待することができる。
【００２１】
ここで、広告情報提供システムにおける貸しロッカー設備１０、クライアント装置３０およびサーバ装置４０について、それぞれによって実行される処理の概要を説明する。
【００２２】
貸しロッカー設備１０は、（１）ロッカー利用者からロッカー代金を徴収して、ロッカー利用者の荷物を預かる処理、（２）サーバ装置４０から広告主の広告データやクーポンデータを取得して、この広告データやクーポンデータを記憶する処理、（３）広告主の広告を出力表示する処理、（４）ロッカー利用者に対して広告主のクーポンを発行する処理、（５）ロッカーの利用状況（例えば、徴収したロッカー代金の額など）やクーポンの発行状況などの利用履歴を記憶して、この利用履歴をサーバ装置４０に対して送信する処理、などを実行する。
【００２３】
クライアント装置３０は、（１）広告主から広告データやクーポンデータの設定内容を受け付け、受け付けた広告データやクーポンデータをサーバ装置４０に対して送信する処理、（２）貸しロッカー設備１０によるクーポンの発行状況やサーバ装置４０の利用状況（例えば、広告主による広告データやクーポンデータの設定変更回数、契約に基づく課金状況など）をサーバ装置４０から取得する処理、などを実行する。
【００２４】
サーバ装置４０は、（１）クライアント装置３０から広告データやクーポンデータを取得して、この広告データやクーポンデータを記憶する処理、（２）広告データやクーポンデータを貸しロッカー設備１０に対して送信する処理、（３）貸しロッカー設備１０からロッカーの利用状況（例えば、徴収したロッカー代金の額など）やクーポンの発行状況などの利用履歴を取得して、この利用履歴を記憶する処理、（４）利用履歴に基づいて広告主の課金状況を算出する処理、（５）クライアント装置３０からの要求に応じて、貸しロッカー設備１０によるクーポンの発行状況やサーバ装置４０の利用状況（例えば、広告主による広告データやクーポンデータの設定変更回数、契約に基づく課金状況など）を送信する処理、などを実行する。
【００２５】
以下に、本実施の形態に係る広告情報提供システムについて、貸しロッカー設備１０の構成、クライアント装置３０の構成、サーバ装置４０の構成、ネットワーク１の構成、貸しロッカー設備１０による荷物預かりの処理手順、貸しロッカー設備１０およびサーバ装置４０の間で実行される処理の手順、クライアント装置３０およびサーバ装置４０の間で実行される処理の手順を、順に説明する。
【００２６】
（貸しロッカー設備１０の構成）
まず、図１に示した貸しロッカー設備１０の外観構成について説明する。図２は、図１に示した貸しロッカー設備１０の外観を示す外観図である。この貸しロッカー設備１０は、同図に示すように、外観的には、貸しロッカー設備１０の制御を担う制御ユニット１０ａと、実際に荷物を預かるロッカーユニット１０ｂとから構成される。
【００２７】
そして、制御ユニット１０ａは、操作パネル１５と、硬貨投入口１６ａと、紙幣投入口１６ｂと、硬貨投出口１６ｃと、発行部１７とを前面に有し、また、ロッカーユニット１０ｂは、ロッカー番号がそれぞれ表示された複数のロッカー２１を前面に有し、さらに、各ロッカー２１は、ランプ２１ａと、取手２１ｂと、扉２１ｃとを前面に有する。
【００２８】
かかる外観構成を有する貸しロッカー設備１０は、暗証番号の入力によって荷物を預かる集中制御タイプの貸しロッカーである。すなわち、ロッカー利用者が硬貨投入口１６ａまたは紙幣投入口１６ｂからロッカー料金を投入するとともに、操作パネル１５から任意の暗証番号（預けた荷物の引き取りに際して必要な番号）を入力すると、制御ユニット１０ａは、発行部１７からレシートとクーポンを発行するとともに、預かり可能なロッカー２１のランプ２１ａを点灯させる。
【００２９】
これに続いて、ロッカー利用者がロッカーユニット１０ｂのランプ２１ａが点灯しているロッカー２１の扉２１ｃを開き、ロッカー２１の内部に荷物を入れて扉２１ｃを閉めると、制御ユニット１０ａは、旋解錠用ソレノイド（図示せず）によって扉５を旋錠するとともに、ランプ２１ａを消灯させる。
【００３０】
次に、図１に示した貸しロッカー設備１０の内部構成について説明する。図３は、図１に示した貸しロッカー設備１０の構成を示すブロック図である。この貸しロッカー設備１０は、同図に示すように、ロッカーユニット１０ｂと配線接続される制御ユニット１０ａの内部に、定型フォームＤＢ（データベース）１１と、広告ＤＢ１２と、クーポンＤＢ１３と、利用履歴ＤＢ１４と、操作パネル１５と、貨幣処理部１６と、発行部１７と、通信制御ＩＦ（インタフェース）１８と、クロック１９と、制御部２０とを、バスなどを介してデータ通信可能に接続して構成される。なお、この貸しロッカー設備１０は、ルータなどの図示しない通信装置および専用線を介してネットワーク１に通信可能に接続される。
【００３１】
このうち、定型フォームＤＢ１１は、操作パネル１５に表示する定型的なフォームや発行部１７から発行する定型的なフォームに関する情報を記憶するデータベースである。具体的には、この定型フォームＤＢ１１に記憶される情報は、図４に示すように、「待機画面フォーム、暗証番号入力画面フォーム、クーポン選択画面フォーム、ロッカー番号指示画面フォーム、ロッカーレシートフォーム、ロッカークーポンフォーム、…」の如き定型フォーム名と、各定型フォーム内容とを相互に関連付けて構成される。
【００３２】
なお、図４に示す例において、「クーポン選択画面フォーム」の空欄には、クーポンの発行が可能な商店名が付加表示され、「ロッカー番号指示画面フォーム」の空欄には、荷物の預かりが可能なロッカー２１の番号が付加表示される。また、「ロッカーレシートフォーム」の空欄には、ロッカー２１の利用開始日時、荷物の預かりが可能なロッカー２１の番号およびロッカー利用者が入力した暗証番号がそれぞれ付加印字され、「ロッカークーポンフォーム」の空欄には、クーポンの発行日時、クーポンの適用が可能な商店名、クーポンの具体的内容およびクーポン上の印字情報を表すバーコードがそれぞれ付加印字される。
【００３３】
広告ＤＢ１２は、操作パネル１５に表示される広告に関する情報を記憶するデータベースである。具体的には、この広告ＤＢ１２に記憶される情報は、図５に示すように、広告主（会員）を一意に識別するための会員ＩＤと、広告主の店名と、操作パネル１５に表示される広告データの内容と、広告データが操作パネル１５に有効に表示される期間を示す広告期間とを相互に関連付けて構成される。
【００３４】
クーポンＤＢ１３は、発行部１７から発行されるクーポンに関する情報を記憶するデータベースである。具体的には、このクーポンＤＢ１３に記憶される情報は、図６に示すように、広告主（会員）を一意に識別するための会員ＩＤと、クーポンに印字される広告主の店名と、同じくクーポンに印字されるクーポンデータの内容と、クーポンが発行部１７から有効に発行される期間を示す発行期間とを相互に関連付けて構成される。
【００３５】
利用履歴ＤＢ１４は、各ロッカー２１の利用状況や発行部１７によるクーポンの発行状況に関する情報を記憶するデータベースである。具体的には、この利用履歴ＤＢ１４に記憶される情報は、図７に示すように、各ロッカー２１を一意に識別するためのロッカー番号と、ロッカー２１の利用に際してロッカー利用者が入力した暗証番号と、ロッカー２１の利用開始日時を示す開始時刻と、ロッカー２１の利用終了日時を示す終了時刻と、ロッカー利用者に対して発行されたクーポンを一意に識別するための会員ＩＤと、ロッカー２１の利用に際して徴収したロッカー代金の集金額とを相互に関連付けて構成される。
【００３６】
操作パネル１５は、ロッカー利用者から制御ユニット１０ａに対する各種入力を受け付けるとともに、ロッカー利用者に対して各種の情報を表示出力する入出力手段（すなわち、ディスプレイとタッチパネルの機能を発揮するもの）である。具体的には、ロッカー利用者から暗証番号の入力やクーポンの選択を受け付け、また、ロッカー利用者に対して、広告データやロッカー２１の利用に関するガイダンス情報を表示する（図１６参照）。
【００３７】
貨幣処理部１６は、ロッカー２１のロッカー代金を徴収する処理部である。具体的には、硬貨投入口１６ａまたは紙幣投入口１６ｂからロッカー料金を受け入れて、このロッカー代金を貨幣収納部（図示せず）に収納するとともに、釣り銭がある場合には、硬貨投出口１６ｃから釣り銭を投出する。
【００３８】
発行部１７は、ロッカーレシートおよびロッカークーポンを発行する処理部である。具体的には、図４に示した「ロッカーレシートフォーム」や「ロッカークーポンフォーム」に所定の情報を入力して構成される印字データを紙などの所定の媒体に印字し、これをレシートやクーポンとして投出する（図１７参照）。
【００３９】
通信制御ＩＦ１８は、貸しロッカー設備１０とネットワーク１との間における通信制御をおこなう処理部である。クロック１９は、現在の日時を判断するためのシステムクロックを発生させる処理部である。
【００４０】
制御部２０は、ＯＳ（Operating System）などの制御プログラム、各種の処理手順などを規定したプログラムおよび所要データを格納するための内部メモリを有し、これらによって種々の処理を実行する処理部であり、機能概念的に、表示制御部２０ａと、ロッカー制御部２０ｂと、発行制御部２０ｃと、ＤＢ処理部２０ｄと、アクセス制御部２０ｅとから構成される。
【００４１】
このうち、表示制御部２０ａは、操作パネル１５に表示される各種画面を作成するとともに、操作パネル１５による画面表示の制御をおこなう処理部である。具体的には、ロッカー代金が投入される前の待機時においては、図４に示した定型フォームＤＢ１１の待機画面フォームおよび図５に示した広告ＤＢ１２の広告データ（広告期間が有効なものに限る）を所定の順序にしたがって操作パネル１５に表示させる（図１６（ａ）および（ｂ）参照）。
【００４２】
そして、ロッカー代金が投入されると、図４に示した定型フォームＤＢ１１の暗証番号入力画面フォームを操作パネル１５に表示させ（図１６（ｃ）参照）、任意の暗証番号を入力されると、図４に示した定型フォームＤＢ１１のクーポン選択画面フォームの空欄に、図６に示したクーポンＤＢ１３の店名（発行期間が有効なものに限る）を付加したものを操作パネル１５に表示させる（図１６（ｄ）参照）。続いて、所定のクーポンが選択されると、図４に示した定型フォームＤＢ１１のロッカー番号指示画面フォームの空欄に、図７に示した利用履歴ＤＢ１４に基づいて検索された荷物の預かりが可能なロッカー２１の番号を付加したものを操作パネル１５に表示させる（図１６（ｅ）参照）。
【００４３】
ロッカー制御部２０ｂは、ロッカーユニット１０ｂの各ロッカー２１の旋解錠制御およびロッカー代金の計算をおこなう処理部である。具体的には、ロッカー代金が投入されると、図７に示した利用履歴ＤＢ１４に基づいて荷物の預かりが可能なロッカー２１を検索し、荷物の預かりが可能なロッカー２１のランプ２１ａを点灯させる。そして、ロッカー２１の扉２１ｃが開かれた後に、ロッカー２１の内部に荷物が入れられて扉２１ｃが閉められると、旋解錠用ソレノイド（図示せず）によって扉５を旋錠するとともに、ランプ２１ａを消灯させる。また、預かった荷物の引き出しに際しては、図７に示した利用履歴ＤＢ１４の開始時刻および終了時刻を参照してロッカー代金の計算をおこなう。
【００４４】
発行制御部２０ｃは、発行部１７から発行されるレシートおよびクーポンの印字データを作成するとともに、発行部１７による発行の制御をおこなう処理部である。具体的には、図４に示した定型フォームＤＢ１１のロッカーレシートフォームの空欄に、クロック１９が示す現在の日時、操作パネル１５のロッカー番号指示画面で表示したロッカー番号および操作パネル１５の暗証番号入力画面で入力された暗証番号を、それぞれ付加して印字したレシートを発行部１７から発行させる。
【００４５】
また、図４に示した定型フォームＤＢ１１のロッカークーポンフォームの空欄に、クロック１９が示す現在の日時、操作パネル１５のクーポン選択画面で選択された店名、図６に示したクーポンＤＢ１３のクーポンデータ（クーポン選択画面で選択されたもの）およびクーポン上の印字情報を表すバーコードを、それぞれ付加して印字したクーポンを発行部１７から発行させる。
【００４６】
ＤＢ処理部２０ｄは、定型フォームＤＢ１１、広告ＤＢ１２、クーポンＤＢ１３および利用履歴ＤＢ１４に対する情報登録をおこなう処理部である。具体的には、サーバ装置４０から新規あるいは変更された定型フォームに関する情報を取得した場合には、取得した定型フォームに関する情報を定型フォームＤＢ１１に新規あるいは更新登録する（図４参照）。
【００４７】
また、サーバ装置４０から新規あるいは変更された広告データに関する情報を取得した場合には、取得した広告データに関する情報を広告ＤＢ１２に新規あるいは更新登録する一方、広告期間が経過している情報を広告ＤＢ１２から削除する（図５参照）。これと同様に、サーバ装置４０から新規あるいは変更されたクーポンデータに関する情報を取得した場合には、取得したクーポンデータに関する情報をクーポンＤＢ１３に新規あるいは更新登録する一方、発行期間が経過している情報をクーポンＤＢ１３から削除する（図６参照）。
【００４８】
さらに、ロッカー２１に荷物を預かって扉２１ｃが旋錠されると、ＤＢ処理部２０ｄは、利用履歴ＤＢ１４の所定のロッカー番号（荷物を預かったロッカー２１の番号）に関連付けて、ロッカー利用者が入力した暗証番号、クロック１９が示す現在の時刻（開始時刻）、ロッカー利用者に対して発行されたクーポンを一意に識別するための会員ＩＤおよびロッカーの利用に際して徴収したロッカー代金の集金額からなる利用履歴を新規に登録する（図７参照）。
【００４９】
アクセス制御部２０ｅは、貸しロッカー設備１０およびサーバ装置４０の間におけるアクセス処理を制御する処理部である。具体的には、利用履歴ＤＢ１４に記憶された利用履歴をサーバ装置４０に対して送信するタイミングを示す所定の設定時間を記憶し、クロック１９が所定の設定時間を経過した場合に、サーバ装置４０にアクセスすることによって、利用履歴を送信するとともに、広告データやクーポンデータに関する情報を受信するよう制御する。
【００５０】
なお、貸しロッカー設備１０からサーバ装置４０にアクセスするのではなく、サーバ装置４０から貸しロッカー設備１０にアクセスすることによって、広告データやクーポンデータに関する情報を貸しロッカー設備１０に送信するとともに、サーバ装置４０が利用履歴を受信するよう制御することもできる。
【００５１】
さて、これまでに貸しロッカー設備１０の構成について説明したが、図示の各構成要素は機能概念的なものであり、必ずしも物理的に図示の如く構成されていることを要しない。例えば、貸しロッカー設備１０による各処理機能、特に制御部２０による各処理機能については、その全部または任意の一部を、ＣＰＵ（Central Processing Unit）および当該ＣＰＵにて解釈実行されるプログラムにて実現することができ、あるいは、ワイヤードロジックによるハードウェアとして実現することも可能である。
【００５２】
さらに、貸しロッカー設備１０の分散・統合の具合的形態は図示のものに限られず、その全部または一部を、各種の負荷等に応じた任意の単位で、機能的または物理的に分散・統合して構成することができる。例えば、利用履歴ＤＢ１４は利用履歴装置として独立に構成してもよく、あるいは、広告ＤＢ１２とクーポンＤＢ１３とを一つのＤＢとして一体構成してもよい。
【００５３】
（クライアント装置３０の構成）
次に、図１に示したクライアント装置３０の構成について説明する。図８は、図１に示したクライアント装置３０の構成を示すブロック図である。同図に示すように、このクライアント装置３０は、制御部３１と、ＲＯＭ３２と、ＲＡＭ３３と、ＨＤ３４と、入力部３５と、出力部３６と、入出力制御ＩＦ３７と、通信制御ＩＦ３８とを、バスなどを介してデータ通信可能に接続して構成される。
【００５４】
このうち、制御部３１は、機能概念的にＷｅｂブラウザ３１ａを有する。このＷｅｂブラウザ３１ａは、基本的には、サーバ装置４０から提供されるＷｅｂデータを解釈して、後述するモニタに表示させる表示制御（ブラウズ処理）をおこなうものである（図２１参照）。
【００５５】
なお、この制御部３１は、その全部または任意の一部を、ＣＰＵおよび当該ＣＰＵにて解釈実行されるプログラムにて実現することができる。すなわち、ＲＯＭ３２またはＨＤ３４には、ＯＳ（Operating System）と協動してＣＰＵに命令を与え、各種処理をおこなうためのコンピュータプログラムが記憶されている。このコンピュータプログラムは、ＲＡＭ３３にロードされることによって実行され、ＣＰＵと協動して制御部３１を構成する。
【００５６】
ただし、このコンピュータプログラムは、クライアント装置３０に対して任意のネットワーク１を介して接続されたアプリケーションプログラムサーバに記憶されてもよく、必要に応じてその全部または一部をダウンロードすることも可能であり、あるいは、各制御部の全部または任意の一部を、ワイヤードロジックなどによるハードウェアとして実現することも可能である。
【００５７】
入力部３５は、クライアント装置３０に対する各種入力、例えば、ログイン画面における会員ＩＤおよびパスワードの入力、メニュー画面におけるサービスの選択、広告データ設定変更画面におけるデータ入力、クーポンデータ設定変更画面におけるデータ入力などを受け付ける処理部である。（図２１（ａ）〜（ｄ）参照）。なお、この入力部３５としては、キーボード、マウスおよびマイクなどを用いることができ、後述するモニタも、マウスと協働してポインティングディバイス機能を実現する。
【００５８】
出力部３６は、サーバ装置４０から受信したＷｅｂデータ、例えば、会員ＩＤおよびパスワードを入力するためのログイン画面、サービスを選択するためのメニュー画面、広告データに関する情報を入力するための広告データ設定変更画面、クーポンデータに関する情報を入力するためのクーポンデータ設定変更画面、ロッカーの利用状況（例えば、徴収したロッカー代金の額など）やクーポンの発行状況などの利用履歴を報知するための利用・課金状況確認画面などを表示する処理部である（図２１（ａ）〜（ｅ）参照）。なお、この出力部３６としては、モニタ（家庭用テレビを含む）を用いることができる。
【００５９】
入出力制御ＩＦ３７は、入力部３５および出力部３６と制御部３１との間における入出力制御をおこなう処理部であり、通信制御ＩＦ３８は、クライアント装置３０とネットワーク１との間における通信制御をおこなう処理部である。
【００６０】
このような構成を有するクライアント装置３０は、例えば、パーソナルコンピュータやワークステーション、家庭用ゲーム機、インターネットＴＶ、ＰＤＡ(Personal Digital  Assistant)、あるいは携帯電話やＰＨＳ（Personal  Handy Phone  System）の如き移動体通信端末によって実現することができる。そして、このクライアント装置３０は、モデム、ＴＡ、ルータなどの通信装置と電話回線を介して、あるいは専用線を介して、ネットワーク１に接続されており、所定の通信規約（例えば、ＴＣＰ／ＩＰインターネットプロトコル）にしたがってサーバ装置４０にアクセスすることができる。
【００６１】
（サーバ装置４０の構成）
次に、図１に示したサーバ装置４０の構成について説明する。図９は、図１に示したサーバ装置４０の構成を示すブロック図である。このサーバ装置４０は、同図に示すように、ＷｅｂＤＢ４１と、広告ＤＢ４２と、クーポンＤＢ４３と、ロッカーＤＢ４４と、会員ＤＢ４５と、クロック４６と、通信制御ＩＦ４７と、制御部４８とを、バスなどを介してデータ通信可能に接続して構成される。なお、このサーバ装置４０は、ルータなどの図示しない通信装置および専用線を介してネットワーク１に通信可能に接続される。
【００６２】
このうち、ＷｅｂＤＢ４１は、クライアント装置３０に対して送信するための各種のＷｅｂデータを記憶するデータベースである。具体的には、このＷｅｂＤＢ４１に記憶される情報は、図１０に示すように、「ログイン画面、メニュー画面、広告データ設定変更画面、クーポンデータ設定変更画面、利用・課金状況確認画面、…」の如きＷｅｂデータ名と、各Ｗｅｂデータの内容とを相互に関連付けて構成される。
【００６３】
広告ＤＢ４２は、貸しロッカー設備１０に対して送信される広告に関する情報を記憶するデータベースである。具体的には、この広告ＤＢ４２に記憶される情報は、図１１に示すように、広告主（会員）を一意に識別するための会員ＩＤと、広告主の店名と、貸しロッカー設備１０の操作パネル１５に表示される広告データの内容と、広告データが操作パネル１５に有効に表示される期間を示す広告期間と、これらの情報が広告ＤＢ４２に設定登録された日時を示す更新日時と、広告データの表示対象となる貸しロッカー設備６０を一意に識別するための貸しロッカー設備ＩＤとを相互に関連付けて構成される。なお、図１１には図示していないが、広告ＤＢ４２は、今後表示対象となる広告データ（予約広告データ）や既に表示されていた広告データ（旧広告データ）に関する情報を記憶することもできる。
【００６４】
クーポンＤＢ４３は、貸しロッカー設備１０に対して送信されるクーポンに関する情報を記憶するデータベースである。具体的には、このクーポンＤＢ４３に記憶される情報は、図１２に示すように、広告主（会員）を一意に識別するための会員ＩＤと、貸しロッカー設備１０の発行部１７から発行されるクーポンに印字される広告主の店名と、同じくクーポンに印字されるクーポンデータの内容と、クーポンが発行部１７から有効に発行される期間を示す発行期間と、これらの情報がクーポンＤＢ４３に設定登録された日時を示す更新日時と、クーポンの発行対象となる貸しロッカー設備６０を一意に識別するための貸しロッカー設備ＩＤとを相互に関連付けて構成される。なお、図１２には図示していないが、クーポンＤＢ４３は、今後発行対象となるクーポンデータ（予約クーポンデータ）や既に発行されていたクーポンデータ（旧クーポンデータ）に関する情報を記憶することもできる。
【００６５】
ロッカーＤＢ４４は、貸しロッカー設備１０から取得した利用履歴に関する情報を記憶するデータベースである。具体的には、このロッカーＤＢ４４に記憶される情報は、図１３に示すように、貸しロッカー設備１０を一意に識別するための貸しロッカー設備ＩＤと、貸しロッカー設備１０の広告ＤＢ１２の情報が更新登録された日時を示す広告データ更新日時と、貸しロッカー設備１０のクーポンＤＢ１３の情報が更新登録された日時を示すクーポンデータ更新日時と、貸しロッカー設備１０から利用履歴に関する情報を所得した日時を示す利用履歴所得日時と、貸しロッカー設備１０から取得した利用履歴に含まれ、ロッカー利用者に対して発行されたクーポンを一意に識別するための会員ＩＤ（これによって、会員ごとのクーポン発行枚数が算出される。）とを相互に関連付けて構成される。
【００６６】
会員ＤＢ４５は、広告主（会員）に関する情報を記憶するデータベースである。具体的には、この会員ＤＢ４５は、図１４に示すように、会員を一意に識別するための会員ＩＤと、会員に付与されたパスワードと、クーポンに印字される会員の店名と、サーバ装置４０の所有者である貸しロッカー設備１０の設置者および会員の間で結ばれた契約形態（例えば、広告データの更新回数、クーポンデータの更新回数、クーポンの発行枚数などに応じた従量課金割引契約、これらに応じない固定課金契約など）と、会員の利用履歴（広告データの更新回数、クーポンデータの更新回数、クーポンの発行枚数）と、契約形態および利用履歴により計算された会員の課金状況とを相互に関連付けて構成される。
【００６７】
クロック４６は、現在の日時を判断するためのシステムクロックを発生させる処理部である。通信制御ＩＦ４７は、サーバ装置４０とネットワーク１との間における通信制御をおこなう処理部である。
【００６８】
制御部４８は、ＯＳ（Operating System）などの制御プログラム、各種の処理手順などを規定したプログラムおよび所要データを格納するための内部メモリを有し、これらによって種々の処理を実行する処理部であり、機能概念的に、要求解釈部４８ａと、閲覧処理部４８ｂと、認証処理部４８ｃと、ＤＢ処理部４８ｄと、課金処理部４８ｅと、アクセス制御部４８ｆとから構成される。
【００６９】
このうち、要求解釈部４８ａは、クライアント装置３０や貸しロッカー設備１０からの要求内容を解釈し、その解釈結果に応じて制御部４８の他の各部に処理を受け渡す処理部である。具体的には、クライアント装置３０からの要求内容としては、接続要求、会員ＩＤおよびパスワードの入力によるログイン要求、メニュー画面における選択による広告データ設定変更画面の送信要求、同じくメニュー画面における選択によるクーポンデータ設定変更画面の送信要求、同じくメニュー画面における選択による利用・課金状況確認画面の送信要求などがある。
【００７０】
また、貸しロッカー設備１０からの要求内容としては、利用履歴ＤＢ１４に記憶された利用履歴のアップロード要求、広告ＤＢ４２やクーポンＤＢ４３に記憶された広告データやクーポンデータに関する情報のダウンロード要求などがある。
【００７１】
閲覧処理部４８ｂは、クライアント装置３０において表示される各種画面のＷｅｂデータの生成や送信をおこなう処理部である。具体的には、要求解釈部４８ａから接続要求を受けた場合には、ＷｅｂＤＢ４１からログイン画面を取得し、認証処理部４８ｃによる認証が成功した場合には、ＷｅｂＤＢ４１からメニュー画面を取得する（図２１（ａ）および（ｂ）参照）。
【００７２】
また、要求解釈部４８ａから広告データ設定変更画面の送信要求を受けた場合には、ＷｅｂＤＢ４１の広告データ設定変更画面に、広告ＤＢ４２における会員の広告データなどを入力してＷｅｂデータを作成し、要求解釈部４８ａからクーポンデータ設定変更画面の送信要求を受けた場合には、ＷｅｂＤＢ４１のクーポンデータ設定変更画面に、クーポンＤＢ４３における会員のクーポンデータなどを入力してＷｅｂデータを作成し、要求解釈部４８ａから利用・課金状況確認画面の送信要求を受けた場合には、ＷｅｂＤＢ４１の利用・課金状況確認画面に、会員ＤＢ４５における会員の利用履歴などを入力してＷｅｂデータを作成する（図２１（ｃ）および（ｅ）参照）。
【００７３】
認証処理部４８ｃは、サーバ装置４０にアクセスするクライアント装置３０の利用者認証をおこなう処理部である。具体的には、要求解釈部４８ａから会員ＩＤおよびパスワードの入力によるログイン要求を受けた場合には、入力された会員ＩＤおよびパスワードが会員ＤＢ４５に記憶されたもとの一致するか否かを判定し、一致する場合に限り、メニュー画面を送信するよう閲覧処理部４８ｂに指示を与える。
【００７４】
ＤＢ処理部４８ｄは、ＷｅｂＤＢ４１、広告ＤＢ４２、クーポンＤＢ４３、ロッカーＤＢ４４および会員ＤＢ４５に対する情報登録をおこなう処理部である。具体的には、図示しない外部装置や入力部から新規あるいは変更されたＷｅｂデータに関する情報を取得した場合には、取得したＷｅｂデータに関する情報をＷｅｂＤＢ４１に新規あるいは更新登録する（図１０参照）。
【００７５】
また、クライアント装置３０から新規あるいは変更された広告データに関する情報を取得した場合には、取得した広告データに関する情報を広告ＤＢ４２に更新日時とともに新規あるいは更新登録する（図１１参照）。これと同様に、クライアント装置３０から新規あるいは変更されたクーポンデータに関する情報を取得した場合には、取得したクーポンデータに関する情報をクーポンＤＢ４３に更新日時とともに新規あるいは更新登録する（図１２参照）。
【００７６】
また、貸しロッカー設備１０から利用履歴ＤＢ１４に記憶された利用履歴に関する情報を取得した場合には、この取得した利用履歴に関する情報をロッカーＤＢ４４に更新日時とともに新規登録するとともに、貸しロッカー設備１０に対して新規あるいは変更された広告データやクーポンデータに関する情報を送信した場合には、この送信した日時を広告データやクーポンデータの更新日時としてロッカーＤＢ４４に更新登録する（図１３参照）。
【００７７】
さらに、会員によって広告ＤＢ４２の広告データに関する情報が更新された場合やクーポンＤＢ４３のクーポンデータに関する情報が更新された場合には、会員ＤＢ４５の利用履歴における広告更新やクーポン更新の回数を更新登録し、ロッカーＤＢ４４の利用履歴に関する情報（クーポン発行会員ＩＤおよび集金額）が更新された場合には、会員ＤＢ４５の利用履歴におけるクーポン発行の枚数を更新登録し、課金処理部４８ｅにより会員の課金状況が計算された場合には、計算された課金状況を会員ＤＢ４５に更新登録する（図１４参照）。
【００７８】
課金処理部４８ｅは、会員の課金状況を計算する処理部である。具体的には、会員ＤＢ４５の利用履歴に関する情報（広告データの更新回数、クーポンデータの更新回数、クーポンの発行枚数）が更新された場合に、この更新された情報および会員の契約形態に基づいて会員の課金状況を計算する処理部である。
【００７９】
アクセス制御部４８ｆは、サーバ装置４０および貸しロッカー設備１０の間におけるアクセス処理を制御する処理部である。具体的には、貸しロッカー設備１０からのアクセスによって、利用履歴ＤＢ１４に記憶された利用履歴を受信した場合には、ロッカーＤＢ４４の広告データ更新日時、ロッカーＤＢ４４のクーポンデータ更新日時、広告ＤＢ４２の更新日時およびクーポンＤＢ４３の更新日時に基づいて、先の更新時より後に更新された広告データやクーポンデータに関する情報があるか否かを判定し、更新された広告データやクーポンデータに関する情報がある場合には、この更新された広告データやクーポンデータに関する情報を貸しロッカー設備１０に送信するよう制御する。
【００８０】
なお、貸しロッカー設備１０からサーバ装置４０にアクセスするのではなく、広告ＤＢ４２の広告データに関する情報やクーポンＤＢ４３のクーポンデータに関する情報が更新された場合に、サーバ装置４０から貸しロッカー設備１０にアクセスすることによって、更新された広告データやクーポンデータに関する情報を貸しロッカー設備１０に送信するとともに、サーバ装置４０が利用履歴を受信するよう制御することもできる。
【００８１】
さて、これまでにサーバ装置４０の構成について説明したが、図示の各構成要素は機能概念的なものであり、必ずしも物理的に図示の如く構成されていることを要しない。例えば、サーバ装置４０による各処理機能、特に制御部４８による各処理機能については、その全部または任意の一部を、ＣＰＵ（Central Processing Unit）および当該ＣＰＵにて解釈実行されるプログラムにて実現することができ、あるいは、ワイヤードロジックによるハードウェアとして実現することも可能である。なお、プログラムは、図示しない本記録媒体に記憶されており、必要に応じてサーバ装置４０に機械的に読み取られる。
【００８２】
さらに、サーバ装置４０の分散・統合の具合的形態は図示のものに限られず、その全部または一部を、各種の負荷等に応じた任意の単位で、機能的または物理的に分散・統合して構成することができる。例えば、ＷｅＢＤＢ４１はＷｅｂサーバ装置として独立に構成してもよく、あるいは、ロッカーＤＢ４４と会員ＤＢ４５とを一つのＤＢとして一体構成してもよい。なお、実際のサーバ装置４０の構成機能としては、さらにファイアウォールサーバやＤＮＳ（Domain  Name  System）サーバの機能を付加することができるが、これらについては公知の構成を適用することができるので、その説明を省略する。
【００８３】
（ネットワーク１の構成）
次に、図１に示したネットワーク１の構成について説明する。ネットワーク１は、貸しロッカー設備１０とサーバ装置４０とを相互に接続する機能およびクライアント装置３０とサーバ装置４０とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ―Ｐ方式などの携帯回線交換網／携帯パケット交換網や、無線呼出網や、Ｂｌｕｅｔｏｏｔｈなどの局所無線網や、ＰＨＳ網や、ＣＳ、ＢＳまたはＩＳＤＢ等の衛星通信網などのうちいずれかを含んでもよい。すなわち、本システムは、有線・無線を問わず任意のネットワークを介して、各種データを送受信することができる。
【００８４】
（貸しロッカー設備１０による荷物預かりの処理）
次に、図１に示した貸しロッカー設備１０による荷物預かりの処理について説明する。図１５は、図１に示した貸しロッカー設備１０による荷物預かりの処理手順を示すフローチャートであり、図１６は、貸しロッカー設備１０による荷物預かりの処理に際して、操作パネル１５に表示される画面の一例を示す図であり、貸しロッカー設備１０による荷物預かりの処理に際して、発行部１７から発行されるレシートおよびクーポンの一例を示す図である。
【００８５】
図１５に示すように、貸しロッカー設備１０において、操作パネル１５は、貨幣が投入されるまで、図１６（ａ）に示すような広告データや同図（ｂ）に示すような待機画面を表示する（ステップＳ１５０１）。そして、貨幣が投入されると（ステップＳ１５０２肯定）、操作パネル１５は、図１６（ｃ）に示すような暗証番号入力画面を表示する（ステップＳ１５０３）。
【００８６】
かかる暗証番号入力画面においてロッカー利用者が希望する暗証番号が入力されると（ステップＳ１５０４肯定）、操作パネル１５は、図１６（ｄ）に示すような、定型フォームＤＢ１１のクーポン選択画面フォームの空欄に、クーポンＤＢ１３の店名（発行期間が有効なものに限る）を付加したクーポン選択画面を表示する（ステップＳ１５０５）。
【００８７】
そして、クーポン選択画面においてクーポンが選択されると（ステップＳ１５０６肯定）、操作パネル１５は、図１６（ｅ）に示すような、定型フォームＤＢ１１のロッカー番号指示画面フォームの空欄に、利用履歴ＤＢ１４に基づいて検索された荷物の預かりが可能なロッカー２１の番号を付加したロッカー番号指示画面を表示する（ステップＳ１５０７）。
【００８８】
続いて、発行部１７は、図１７（ａ）に示すような、定型フォームＤＢ１１のロッカーレシートフォームの空欄に、クロック１９が示す現在の日時、操作パネル１５のロッカー番号指示画面で表示したロッカー番号および操作パネル１５の暗証番号入力画面で入力された暗証番号を、それぞれ付加して印字したレシートを発行する（ステップＳ１５０８）。
【００８９】
さらに、発行部１７は、図１７（ｂ）に示すような、定型フォームＤＢ１１のロッカークーポンフォームの空欄に、クロック１９が示す現在の日時、操作パネル１５のクーポン選択画面で選択された店名、クーポンＤＢ１３のクーポンデータ（クーポン選択画面で選択されたもの）およびクーポン上の印字情報を表すバーコードを、それぞれ付加して印字したクーポンを発行する（ステップＳ１５０９）。
【００９０】
続いて、ロッカー制御部２０ｂは、荷物の預かりが可能なロッカー２１のランプ２１ａを点灯させ（ステップＳ１５１０）、ロッカー２１の扉２１ｃが開かれた後に、ロッカー２１の内部に荷物が入れられて扉２１ｃが閉められると（ステップＳ１５１１肯定）、旋解錠用ソレノイド（図示せず）によって扉５を旋錠するとともに（ステップＳ１５１２）、ランプ２１ａを消灯させる（ステップＳ１５１３）。
【００９１】
そして、ＤＢ処理部２０ｄは、利用履歴ＤＢ１４の所定のロッカー番号（荷物を預かったロッカー２１の番号）に関連付けて、ロッカー利用者が入力した暗証番号、クロック１９が示す現在の時刻（開始時刻）、ロッカー利用者に対して発行されたクーポンを一意に識別するための会員ＩＤおよびロッカーの利用に際して徴収したロッカー代金の集金額からなる利用履歴を新規に登録する（ステップＳ１５１４）。
【００９２】
上記した一連の処理によって、ロッカー利用者に対して貸しロッカー設備１０から宣伝広告やクーポンなどの広告情報が提供されるところ、ロッカー利用者にとっては、実質安価なロッカー料金にて荷物を預けることができるとともに、広告主のクーポンを取得することができるため、ロッカー利用率を向上させることが可能になる。これに付随して、貸しロッカー設備１０の設置者などは、広告主から広告収入を得ることができるとともに、ロッカー利用率の向上による収益増加を期待することができる。さらに、商店街やショッピングセンタなどの広告主は、効果的な宣伝やクーポンによる来店者の増加を期待することができるとともに、来店者が荷物を携帯しないことによって、店内の混雑緩和や万引きなどの不正防止を期待することができる。
【００９３】
（貸しロッカー設備１０からサーバ装置４０へのアクセスにともなう処理）
次に、図１に示した貸しロッカー設備１０からサーバ装置４０へのアクセスにともなう処理について説明する。図１８は、図１に示した貸しロッカー設備１０からサーバ装置４０へのアクセスにともなう処理の手順を示すフローチャートである。
【００９４】
同図に示すように、貸しロッカー設備１０において、アクセス制御部２０ｅは、利用履歴ＤＢ１４に記憶された利用履歴をサーバ装置４０に対して送信するタイミングを示す所定の設定時間を記憶し、クロック１９が所定の設定時間を経過した場合には（ステップＳ１８０１肯定）、サーバ装置４０にアクセスすることによって、利用履歴ＤＢ１４に記憶された利用履歴に関する情報を送信する（ステップＳ１８０２）。
【００９５】
そして、サーバ装置４０において、ＤＢ処理部４８ｄは、貸しロッカー設備１０から利用履歴ＤＢ１４に記憶された利用履歴に関する情報を受信し（ステップＳ１８０３）、この利用履歴に関する情報をロッカーＤＢ４４に更新日時とともに新規登録する（ステップＳ１８０４）。
【００９６】
続いて、アクセス制御部４８ｆは、ロッカーＤＢ４４の広告データ更新日時、ロッカーＤＢ４４のクーポンデータ更新日時、広告ＤＢ４２の更新日時およびクーポンＤＢ４３の更新日時に基づいて、先の更新時より後に更新された広告データやクーポンデータに関する情報があるか否かを判定し（ステップＳ１８０５）、更新された広告データやクーポンデータに関する情報がある場合には（ステップＳ１８０５肯定）、この更新された広告データやクーポンデータに関する情報を貸しロッカー設備１０に送信する（ステップＳ１８０６）。
【００９７】
そして、貸しロッカー設備１０において、ＤＢ処理部２０ｄは、サーバ装置４０から広告データやクーポンデータに関する情報を受信し（ステップＳ１８０７）、受信した広告データやクーポンデータに関する情報を広告ＤＢ１２やクーポンＤＢ１３に新規あるいは更新登録する（ステップＳ１８０８）。
【００９８】
上記した一連の処理によって、貸しロッカー設備１０には、最新の広告データやクーポンデータに関する情報が記憶されるので、広告主は、効果的な広告情報を提供することができる一方、ロッカー利用者は、利用価値の高い広告情報の提供を受けることができるため、ロッカー利用率を一層向上させることが可能になる。なお、貸しロッカー設備１０からサーバ装置４０へのアクセスによって貸しロッカー設備１０に最新の広告情報が記憶されるため、サーバ装置４０の処理負担を軽減することも可能である。
【００９９】
（サーバ装置４０から貸しロッカー設備１０へのアクセスにともなう処理）
次に、図１に示したサーバ装置４０から貸しロッカー設備１０へのアクセスにともなう処理について説明する。図１９は、図１に示したサーバ装置４０から貸しロッカー設備１０へのアクセスにともなう処理の手順を示すフローチャートである。
【０１００】
同図に示すように、サーバ装置４０において、アクセス制御部４８ｆは、広告ＤＢ４２の広告データに関する情報やクーポンＤＢ４３のクーポンデータに関する情報が更新された場合に（ステップＳ１９０１）、サーバ装置４０から貸しロッカー設備１０にアクセスすることによって、更新された広告データやクーポンデータに関する情報を貸しロッカー設備１０に送信する（ステップＳ１９０２）。
【０１０１】
そして、貸しロッカー設備１０において、ＤＢ処理部２０ｄは、サーバ装置４０から広告データやクーポンデータに関する情報を受信し（ステップＳ１９０３）、受信した広告データやクーポンデータに関する情報を広告ＤＢ１２やクーポンＤＢ１３に新規あるいは更新登録する（ステップＳ１９０４）。続いて、アクセス制御部２０ｅは、利用履歴ＤＢ１４に記憶された利用履歴に関する情報を送信する（ステップＳ１９０５）。
【０１０２】
そして、サーバ装置４０において、ＤＢ処理部４８ｄは、貸しロッカー設備１０から利用履歴ＤＢ１４に記憶された利用履歴に関する情報を受信し（ステップＳ１９０６）、この利用履歴に関する情報をロッカーＤＢ４４に更新日時とともに新規登録する（ステップＳ１９０７）。
【０１０３】
上記した一連の処理によって、貸しロッカー設備１０には、最新の広告データやクーポンデータに関する情報が記憶されるところ、広告主は、効果的な広告情報を提供することができる一方、ロッカー利用者は、利用価値の高い広告情報の提供を受けることができるため、ロッカー利用率を一層向上させることが可能になる。なお、サーバ装置４０から貸しロッカー設備１０へのアクセスによって貸しロッカー設備１０に最新の広告情報が記憶されるため、例えば、タイムサービスなどのリアルタイム性が要求されるような広告情報を貸しロッカー設備１０からリアルタイムで提供することができ、これによって、広告情報の利用価値を一層高めることも可能になる。
【０１０４】
（クライアント装置３０からサーバ装置４０へのアクセスにともなう処理）
次に、図１に示したクライアント装置３０からサーバ装置４０へのアクセスにともなう処理について説明する。図２０は、図１に示したクライアント装置３０からサーバ装置４０へのアクセスにともなう処理の手順を示すフローチャートであり、図２１は、クライアント装置３０からサーバ装置４０へのアクセスにともなう処理に際して、クライアント装置３０の出力部３６に表示される画面の一例を示す図である。
【０１０５】
図２０に示すように、クライアント装置３０からサーバ装置４０に対して接続要求を送信し（ステップＳ２００１）、この接続要求をサーバ装置４０が受信すると（ステップＳ２００２）、閲覧処理部４８ｂは、ＷｅｂＤＢ４１のログイン画面をクライアント装置３０に送信する（ステップＳ２００３）。
【０１０６】
そして、クライアント装置３０は、サーバ装置４０からログイン画面を受信して、出力部３６に、図２１（ａ）に示すようなログイン画面を表示する（ステップＳ２００４）。かかるログイン画面において、入力部３５を介して会員ＩＤおよびパスワードからなるログイン情報が入力されると、入力されたログイン情報をサーバ装置４０に送信する（ステップＳ２００５）。
【０１０７】
続いて、サーバ装置４０は、クライアント装置３０からログイン情報を受信して（ステップＳ２００６）、認証処理部４８ｃは、受信した会員ＩＤおよびパスワードが会員ＤＢ４５に記憶されたもとの一致するか否かによって認証をおこなう（ステップＳ２００７）。この認証が成功した場合には（ステップＳ２００７肯定）、閲覧処理部４８ｂは、ＷｅｂＤＢ４１のメニュー画面をクライアント装置３０に送信する（ステップＳ２００８）。
【０１０８】
そして、クライアント装置３０は、サーバ装置４０からメニュー画面を受信して、出力部３６に、図２２（ｂ）に示すようなメニュー画面を表示する（ステップＳ２００９）。
【０１０９】
かかるメニュー画面において、入力部３５を介して広告データ設定変更が選択された場合には（ステップＳ２０１０肯定）、サーバ装置４０は、かかる選択要求をクライアント装置３０から受信して（ステップＳ２０１１）、閲覧処理部４８ｂは、ＷｅｂＤＢ４１の広告データ設定変更画面に、広告ＤＢ４２における会員の広告データなどを入力して作成した広告データ設定変更画面をクライアント装置３０に送信する（ステップＳ２０１２）。
【０１１０】
続いて、クライアント装置３０は、サーバ装置４０から広告データ設定変更画面を受信して、出力部３６に、図２１（ｃ）に示すような広告データ設定変更画面を表示する（ステップＳ２０１３）。かかる広告データ設定変更画面において、入力部３５を介して広告データに関する情報が設定されると、クライアント装置３０は、設定された広告データに関する情報をサーバ装置４０に送信する（ステップＳ２０１４）。
【０１１１】
そして、サーバ装置４０は、クライアント装置３０から広告データに関する情報を受信して、ＤＢ処理部４８ｄは、受信した広告データに関する情報を広告ＤＢ４２に更新日時とともに新規あるいは更新登録する（ステップＳ２０１５）。
【０１１２】
一方、メニュー画面において、入力部３５を介してクーポンデータ設定変更が選択された場合には（ステップＳ２０１６肯定）、サーバ装置４０は、かかる選択要求をクライアント装置３０から受信して（ステップＳ２０１７）、閲覧処理部４８ｂは、ＷｅｂＤＢ４１のクーポンデータ設定変更画面に、クーポンＤＢ４３における会員の広告データなどを入力して作成したクーポンデータ設定変更画面をクライアント装置３０に送信する（ステップＳ２０１８）。
【０１１３】
続いて、クライアント装置３０は、サーバ装置４０からクーポンデータ設定変更画面を受信して、出力部３６に、図２２（ｄ）に示すようなクーポンデータ設定変更画面を表示する（ステップＳ２０１９）。かかるクーポンデータ設定変更画面において、入力部３５を介してクーポンデータに関する情報が設定されると、クライアント装置３０は、設定されたクーポンデータに関する情報をサーバ装置４０に送信する（ステップＳ２０２０）。
【０１１４】
そして、サーバ装置４０は、クライアント装置３０からクーポンデータに関する情報を受信して、ＤＢ処理部４８ｄは、受信したクーポンデータに関する情報をクーポンＤＢ４３に更新日時とともに新規あるいは更新登録する（ステップＳ２０２１）。
【０１１５】
一方、メニュー画面において、入力部３５を介して利用・課金状況確認が選択された場合には（ステップＳ２０２２肯定）、サーバ装置４０は、かかる選択要求をクライアント装置３０から受信して（ステップＳ２０２３）、閲覧処理部４８ｂは、ＷｅｂＤＢ４１の利用・課金状況確認画面に、会員ＤＢ４５における会員の利用履歴などを入力して作成した利用・課金状況確認画面をクライアント装置３０に送信する（ステップＳ２０２４）。
【０１１６】
続いて、クライアント装置３０は、サーバ装置４０から利用・課金状況確認画面を受信して、出力部３６に、図２１（ｅ）に示すような利用・課金状況確認画面を表示する（ステップＳ２０２５）。
【０１１７】
上記した一連の処理によって、広告主は、貸しロッカー設備１０から提供される宣伝広告やクーポンなどの広告情報をクライアント装置３０によって簡便に設定変更することができる。これによって、広告主は、貸しロッカー設備１０から効果的な広告情報を提供することができる一方、ロッカー利用者は、利用価値の高い広告情報の提供を受けることができるため、ロッカー利用率を向上させることが可能になる。
【０１１８】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１１９】
例えば、本実施の形態では、貸しロッカー設備１０によるクーポンの発行について、ロッカー利用者の選択したクーポンを発行する場合を説明したが、本発明はこれに限定されるものではなく、ロッカー利用者の選択によらず、貸しロッカー設備１０が任意にランダム選択したクーポンを発行する場合にも同様に適用することができる。すなわち、例えば、各クーポンに実質的な価値の軽重を付けて、ランダムに選択したクーポンを発行するというゲーム性を持たせ、これによって、ロッカー利用率を一層向上させることも可能になる。
【０１２０】
また、本実施の形態では、貸しロッカー設備１０による広告情報の提供について、操作パネル１５に広告データを表示するとともに、発行部１７からクーポンを発行する場合を説明したが、本発明はこれに限定されるものではなく、例えば、広告データをレシートやクーポンに印字したり、クーポン情報をロッカー利用者の携帯電話に転送するなど、広告主の広告情報をあらゆる態様で提供する場合にも同様に適用することができる。
【０１２１】
また、本実施の形態では、サーバ装置４０の運用について、貸しロッカー設備１０の設置者が運用する場合を説明したが、本発明はこれに限定されるものではなく、例えば、貸しロッカー設備１０の設置者と広告主とを仲介する仲介業者や、いわゆるＧＣＡＮセンタのようなデビットカードに関する処理をおこなう情報処理センタ、その他の情報サービスをおこなう情報サービス業者など、あらゆる者によってサーバ装置４０が運用される場合にも同様に適用することができる。
【０１２２】
また、本実施の形態では、図１８および図１９に示したように、貸しロッカー設備１０からサーバ装置４０に利用履歴を送信する処理と、サーバ装置４０から貸しロッカー設備１０に広告データやクーポンデータに関する情報を送信する処理とを、一連の処理として実行する場合を説明したが、本発明はこれに限定されるものではなく、これらの処理を別々に実行する場合にも同様に適用することができる。
【０１２３】
また、本実施の形態では、貸しロッカー設備１０として、ロッカー代金の入金および暗証番号の入力によって荷物を預かるものに本発明を適用した場合を説明したが、本発明はこれに限定されるものではなく、ロッカー代金の入金によって荷物を預かる、あらゆる貸しロッカー設備にも同様に適用することができる。
【０１２４】
例えば、図２２（ａ）に示す貸しロッカー設備５０は、ロッカー利用者が制御ユニット５０ａからロッカー代金を入金し、ロッカーユニット５０ｂにおける所定の空きロッカー５１に荷物を入れ、鍵穴５１ａに挿入した鍵によって扉２１ｃを旋錠すると、制御ユニット５０ａの発行部１７からクーポンが発行されるというものである。
【０１２５】
また、同図（ｂ）に示す貸しロッカー設備６０は、ロッカー利用者がロッカーユニット６０ｂにおける所定の空きロッカー６１の硬貨投入口１６ａからロッカー代金を入金し、ロッカー６１に荷物を入れ、鍵穴５１ａに挿入した鍵によって扉２１ｃを旋錠し、発行ボタン６１ａを押下すると、制御ユニット５０ａの発行部１７からクーポンが発行されるというものである。
【０１２６】
さらに、同図（ｃ）に示す貸しロッカー設備７０は、ロッカー利用者がロッカーユニット７０ｂにおける所定の空きロッカー７１の硬貨投入口１６ａからロッカー代金を入金し、ロッカー７１に荷物を入れ、鍵穴５１ａに挿入した鍵によって扉２１ｃを旋錠し、制御ユニット５０ａの鍵穴５１ａに鍵を挿入すると、発行部１７からクーポンが発行されるというものである。
【０１２７】
このように、本発明は、図２に示した貸しロッカー設備１０に限定されず、図２２（ａ）〜（ｃ）に示した貸しロッカー設備５０〜７０のように、ロッカー代金の入金によって荷物を預かる、あらゆる貸しロッカー設備にも同様に適用することができる。なお、本実施の形態では、各ロッカーの収納庫の大きさが均一である貸しロッカー設備を示したが、収納庫の大きさが異なる複数のロッカーから構成される貸しロッカー設備の場合には、ロッカー代金の投入後にロッカー利用者が希望するロッカー番号を選択することになり、この場合にも本実施の形態と同様に本発明を適用することができる。
【０１２８】
また、本実施の形態では、所定のサービスを提供するサービス設備として、貸しロッカー設備１０に本発明を適用した場合を説明したが、本発明はこれに限定されるものではなく、商店街やショッピングセンタに設置される貸し駐車場設備など、他のサービス設備においても同様に適用することができる。
【０１２９】
すなわち、駐車代金を受け付ける制御ユニットから宣伝広告やクーポンなどの広告情報を提供するという貸し駐車場設備である。かかる貸し駐車場設備に本発明を適用することによって、駐車場利用者にとっては、安価な駐車料金にて車を駐車することができるとともに、広告主のクーポンを取得することができるため、駐車場の利用率を向上させることが可能になる。これに付随して、貸し駐車場を運営する駐車場業者などは、広告主から広告収入を得ることができるとともに、駐車場の利用率の向上による収益増加を期待することができる。さらに、商店街やショッピングセンタなどの広告主は、効果的な宣伝やクーポンによる来店者の増加を期待することができるとともに、違法駐車の緩和を期待することができる。
【０１３０】
なお、貸し駐車場設備には、いわゆる後払い方式や先払い方式があるが、本発明はいずれの方式の貸し駐車場設備にも適用することができる。すなわち、後払い方式に適用する場合には、駐車終了時の駐車料金の徴収に際してクーポンを発行し、先払い方式に適用する場合には、駐車開始時の駐車料金の徴収に際してクーポンを発行することとなる。
【０１３１】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１３２】
この他、上記文書中や図面中で示した処理手順、制御手順、具体的名称、各種の登録データや検索条件などのパラメータを含む情報、画面例、データベース構成については、特記する場合を除いて任意に変更することができる。
【産業上の利用可能性】
【０１３３】
以上のように、本発明に係るロッカー装置及びその制御方法は、サービス設備の利用率を高める場合に適している。
【符号の説明】
【０１３４】
１  ネットワーク
１０  貸しロッカー設備
１０ａ  制御ユニット
１０ｂ  ロッカーユニット
１１  定型フォームＤＢ
１２  広告ＤＢ
１３  クーポンＤＢ
１４  利用履歴ＤＢ
１５  操作パネル
１６  貨幣処理部
１７  発行部
１８  通信制御ＩＦ
１９  クロック
２０  制御部
２０ａ  表示制御部
２０ｂ  ロッカー制御部
２０ｃ  発行制御部
２０ｄ  ＤＢ処理部
２０ｅ  アクセス制御部
２１  ロッカー
３０  クライアント装置
３１  制御部
３１ａ  Ｗｅｂブラウザ
３２  ＲＯＭ
３３  ＲＡＭ
３４  ＨＤ
３５  入力部
３６  出力部
３７  入出力制御ＩＦ
３８  通信制御ＩＦ
４０  サーバ装置
４１  ＷｅｂＤＢ
４２  広告ＤＢ
４３  クーポンＤＢ
４４  ロッカーＤＢ
４５  会員ＤＢ
４６  クロック
４７  通信制御ＩＦ
４８  制御部
４８ａ  要求解釈部
４８ｂ  閲覧処理部
４８ｃ  認証処理部
４８ｄ  ＤＢ処理部
４８ｅ  課金処理部
４８ｆ  アクセス制御部
【図１】
2011154714.tif 000003
【図２】
2011154714.tif 000004
【図３】
2011154714.tif 000005
【図４】
2011154714.tif 000006
【図５】
2011154714.tif 000007
【図６】
2011154714.tif 000008
【図７】
2011154714.tif 000009
【図８】
2011154714.tif 000010
【図９】
2011154714.tif 000011
【図１０】
2011154714.tif 000012
【図１１】
2011154714.tif 000013
【図１２】
2011154714.tif 000014
【図１３】
2011154714.tif 000015
【図１４】
2011154714.tif 000016
【図１５】
2011154714.tif 000017
【図１６】
2011154714.tif 000018
【図１７】
2011154714.tif 000019
【図１８】
2011154714.tif 000020
【図１９】
2011154714.tif 000021
【図２０】
2011154714.tif 000022
【図２１】
2011154714.tif 000023
【図２２】
2011154714.tif 000024